(57)【要約】【課題】  宣伝広告などに関する動画情報を簡単な設備によって遠方から配信し、広告塔などの表示装置に表示する。【解決手段】  プロバイダサーバ１からワイドエリアネットワーク４を介して配信されるデジタル動画信号を受信して保存する現場サーバ３と、現場サーバからローカルエリアネットワーク７を介して配信されたデジタル動画信号を受信して、そのデジタル動画信号をリアルタイムでアナログ動画信号に変換するセットトップボックス５と、セットトップボックス５の近傍に配置され、アナログ動画信号に基づいて動画を表示するディスプレイ装置６と、を有する動画受信表示装置である。【選択図】  図１
2006014130.tif 000002
【特許請求の範囲】
【請求項１】
プロバイダサーバからワイドエリアネットワークを介して配信されるデジタル動画信号を受信して保存する現場サーバと、
前記現場サーバからローカルエリアネットワークを介して配信された前記デジタル動画信号を受信して、そのデジタル動画信号をリアルタイムでアナログ動画信号に変換するセットトップボックスと、
前記セットトップボックスの近傍に配置され、前記アナログ動画信号に基づいて動画を表示するディスプレイ装置と、
を有する動画受信表示装置。
【請求項２】
請求項１に記載の動画受信表示装置において、前記ローカルエリアネットワークはイーサネットによるものであること、を特徴とする動画受信表示装置。
【請求項３】
請求項１または２に記載の動画受信表示装置において、前記動画は広告宣伝に関するものであって、前記ディスプレイ装置は看板として機能するものであること、を特徴とする動画受信表示装置。
【請求項４】
請求項１ないし３のいずれかに記載の動画受信表示装置において、前記現場サーバが屋内に配置され、前記ディスプレイ装置が屋外に配置されていること、を特徴とする動画受信表示装置。
【請求項５】
デジタル動画信号を配信する少なくとも一つのプロバイダサーバと、
前記プロバイダサーバからネットワークを介して配信される前記デジタル動画信号を受信して保存する現場サーバと、
前記現場サーバからローカルエリアネットワークを介して配信された前記デジタル動画信号を受信してそのデジタル動画信号をリアルタイムでアナログ動画信号に変換するセットトップボックスと、
前記セットトップボックスの近傍に配置され、前記アナログ動画信号に基づいて動画を表示するディスプレイ装置と、
を有する動画配信システム。
【請求項６】
請求項５に記載の動画配信システムにおいて、前記プロバイダサーバと前記現場サーバはそれぞれ複数個あって、各現場サーバは、特定のプロバイダサーバを選択する手段を有すること、を特徴とする動画配信システム。
【発明の詳細な説明】
【技術分野】
【０００１】
本発明は遠方から提供された宣伝広告などに関する動画情報を広告塔などに表示できる動画受信表示装置および動画配信システムに関する。
【背景技術】
【０００２】
従来の公共の場の大画面表示装置や電光掲示板などにおいては、駅構内やビル壁面に表示装置(テレビ受像機、ビルボード）を設置して、宣伝広告などの情報を表示することが行なわれている。この場合に、通常は、表示装置の近くにビデオデッキなどを設置し、動画情報を記憶したビデオテープやＤＶＤ(デジタルバーサタイルディスク)などの媒体を物理的に搬送したうえでビデオデッキなどで再生することにより表示する。
【特許文献１】特開２００２−３３０４１６号公報
【特許文献２】特開２００３−１３２３６２号公報
【発明の開示】
【発明が解決しようとする課題】
【０００３】
ビデオテープやＤＶＤなどの媒体を物理的に搬送するやり方では、媒体の搬送や取替えに手間がかかる。
【０００４】
一方、通常のテレビ放送やケーブルテレビなどでは画像情報（ビデオ情報）を無線または有線で遠方に配信するが、画像情報は基本的にアナログ情報であるので、減衰を考慮して大出力の発信機や中継局などの設備を必要とする。
【０００５】
この発明は上記課題を鑑みてなされたものであって、宣伝広告などに関する動画情報を簡単な設備によって遠方から配信し、広告塔などの表示装置に表示できる動画受信表示装置および動画配信システムを提供することを目的とする。
【０００６】
なお、特許文献１にはストリーミング広告配信について開示されているが、これは、視聴者が自分のテレビ受像機やパーソナルコンピュータ（視聴者端末）を自分で見ることを想定したものであって、本発明におけるような動画情報配信については開示していない。また、特許文献２には、ネットワークを介してデータをユーザサイトのセットトップボックス（ＳＴＰ）に直接配信する技術が開示されている。しかしここには、屋外に表示装置を設置する場合や表示装置を複数個設置する場合の配慮が示されていない。
【課題を解決するための手段】
【０００７】
この発明は上記目的を達成するものであって、請求項１に記載の発明は、プロバイダサーバからワイドエリアネットワークを介して配信されるデジタル動画信号を受信して保存する現場サーバと、前記現場サーバからローカルエリアネットワークを介して配信された前記デジタル動画信号を受信して、そのデジタル動画信号をリアルタイムでアナログ動画信号に変換するセットトップボックスと、前記セットトップボックスの近傍に配置され、前記アナログ動画信号に基づいて動画を表示するディスプレイ装置と、を有する動画受信表示装置である。
【０００８】
また、請求項２に記載の発明は、請求項１に記載の動画受信表示装置において、前記ローカルエリアネットワークはイーサネット（商標）によるものであること、を特徴とする。
【０００９】
また、請求項３に記載の発明は、請求項１または２に記載の動画受信表示装置において、前記動画は広告宣伝に関するものであって、前記ディスプレイ装置は看板として機能するものであること、を特徴とする。
【００１０】
また、請求項４に記載の発明は、請求項１ないし３のいずれかに記載の動画受信表示装置において、前記現場サーバが屋内に配置され、前記ディスプレイ装置が屋外に配置されていること、を特徴とする。
【００１１】
また、請求項５に記載の発明は、デジタル動画信号を配信する少なくとも一つのプロバイダサーバと、前記プロバイダサーバからネットワークを介して配信される前記デジタル動画信号を受信して保存する現場サーバと、前記現場サーバからローカルエリアネットワークを介して配信された前記デジタル動画信号を受信してそのデジタル動画信号をリアルタイムでアナログ動画信号に変換するセットトップボックスと、前記セットトップボックスの近傍に配置され、前記アナログ動画信号に基づいて動画を表示するディスプレイ装置と、を有する動画配信システムである。
【００１２】
また、請求項６に記載の発明は、請求項５に記載の動画配信システムにおいて、前記プロバイダサーバと前記現場サーバはそれぞれ複数個あって、各現場サーバは、特定のプロバイダサーバを選択する手段を有すること、を特徴とする。
【発明の効果】
【００１３】
本発明によれば、宣伝広告などに関する動画情報を簡単な設備によって遠方から配信し、広告塔などの表示装置に表示することができる。
【発明を実施するための最良の形態】
【００１４】
以下、図面を参照しながら本発明の実施の形態を説明する。図１は、本発明に係る動画配信システムの一実施の形態を示すブロック図であって、コンテンツプロバイダのプロバイダサーバ１と、動画受信表示装置２の現場サーバ３が、ワイドエリアネットワーク（ＷＡＮ）４を介して接続されている。ＷＡＮ４は、たとえばＡＤＳＬ(Asymmetric Digital Subscriber Line)などにより接続される。
【００１５】
図１ではプロバイダサーバ１と動画受信表示装置２が２個ずつ示されているが、これらの個数は任意であり、１個ずつであってもよい。プロバイダサーバ１が複数ある場合は、現場サーバ３が、プロバイダサーバ１を選択する機能を持っていればよい。
【００１６】
動画受信表示装置２はさらに、セットトップボックス５とディスプレイ装置６を有し、現場サーバ３とセットトップボックス５はローカルエリアネットワーク（ＬＡＮ）７を介して接続されている。
【００１７】
プロバイダサーバ１からＷＡＮを通じて現場サーバ３に送られる動画信号は、デジタル信号である。現場サーバ３はこのデジタル信号を受信してこれを一時記憶し、ＬＡＮ７を通じてデジタル動画信号をセットトップボックス５にストリーミング配信する。
【００１８】
ＬＡＮ７を通じて配信されるデジタル画像信号は、たとえばＴＣＰ／ＩＰ(Transmission Control Protocol/Internet Protocol)やＵＤＰ(User Datagram Protocol)などのネットワークプロトコルや動画配信のフォーマットである。
【００１９】
セットトップボックス５はディスプレイ装置６の近傍に設置されるもので、現場サーバ３からＬＡＮ７を通じて送られてくるデジタル画像信号をリアルタイムでアナログ動画信号（ビデオ信号）に変換する機能を有する。ここで、セットトップボックス５は文字通りにはセット（テレビ受像機、ディスプレイ装置）の上に置かれる箱を意味するが、これをディスプレイ装置の上でなくて横や後方に置いてもよく、ディスプレイ装置の内部に組み込むこともできる。ただし、前述のようにアナログ信号は距離に応じて減衰するので、セットトップボックス５はディスプレイ装置６の近くに設置することが必要である。なお、通常のセットトップボックスとして、録画機能やブラウジング機能、ｅメール機能などを有するものがあるが、この実施の形態では、セットトップボックスのビデオオンデマンド機能を利用すればよい。
【００２０】
ディスプレイ装置６は、たとえば通常のテレビ受像機や、たとえばビル壁面の設置される大画面の広告用ディスプレイ装置や電子掲示板であって、セットトップボックス５から送られてくるアナログのビデオ信号を受信して動画を表示する機能を有する。
【００２１】
ＬＡＮ７はデジタル信号を伝送するものであって、たとえば、ＣＳＭＡ／ＣＤ(Carrier Sense Multiple Access with Collision Detection)方式のイーサネットであり、たとえばより対線を用いる。これにより、安価な設備とすることができる。
【００２２】
図１では、一つの現場サーバ３に２組のセットトップボックス５およびディスプレイ装置６が接続されている例を示すが、この組数は任意であり、１組であってもい。なお、図１で、２個の動画受信表示装置２のうちの一方についてはセットトップボックス５およびディスプレイ装置６の図示を省略している。たとえば、一つの駅に一つの現場サーバ３を設置し、その駅に複数組のセットトップボックス５およびディスプレイ装置６を設置する例が考えられる。また、ディスプレイ装置６が屋外に設置される広告用ディスプレイ装置であるような場合でも、現場サーバ３を屋内に設置するなど、設置場所を自由に選択できる。
【００２３】
以上の説明で、「動画」は、たとえば通常のテレビ番組のように常に動いている映像でもよいが、静止画像がときどき（たとえば１０秒ごとに）新しい静止画像に置き換わるようなものでもよい。また、動画に合わせて音声を流してもよい。また、プロバイダサーバ１から提供されるコンテンツは、広告宣伝に限らず、ＩＰ放送、インターネットの内容、ライブ放送など、任意のものでよい。
【００２４】
この実施の形態によれば、コンテンツを入れ替えたり変更するために媒体を輸送したり、人が差し替えたりする必要がないので手間がかからない。また、現場側の配線がＬＡＮ接続であって、イーサネットケーブルなどを使用できるので、従来のビデオ信号を直接供給する場合のように仕様に距離やケーブルによる減衰を考慮する必要がない。
【図面の簡単な説明】
【００２５】
【図１】本発明に係る動画配信システムの一実施の形態を示すブロック図。
【符号の説明】
【００２６】
１…プロバイダサーバ
２…動画受信表示装置
３…現場サーバ
４…ワイドエリアネットワーク（ＷＡＮ）
５…セットトップボックス
６…ディスプレイ装置
７…ローカルエリアネットワーク（ＬＡＮ）
【図１】
2006014130.tif 000003